(57)【特許請求の範囲】
【請求項１】
左右に２個のロールペーパー２が入る大きさのケース１の左右何れか一方側に予備のロールペーパー２を収納する収納空間３を形成し、左右何れか他方側に使用するロールペーパー２を装着する装着部２７とカッター３０を有する装着空間２５を形成し、前記収納空間３には開閉自在の開閉蓋５と該開閉蓋５の開くのをロックするロック機構７を設け、該ロック機構７は、前記収納空間３内の下部の載置板４の下方に一対の弾性ロックアーム１２を設け、前記開閉蓋５の下部に前記弾性ロックアーム１２に係合する係合部８を設けて構成したロール式トイレットペーパー収納装置。
【請求項２】
請求項１において、前記ロック機構７は、前記弾性ロックアーム１２を、自由端の先端から基部側に至るに従い幅狭くなるロック案内部１３に続いて基部側に至るに従い広くなる幅広部１４を形成し、ロック案内部１３と幅広部１４との間の幅の狭い部分をロック部１７に形成し、前記幅広部１４には基部側に至るに従い幅が狭くなるアンロック案内部１５を形成し、該アンロック案内部１５の基部側部分をケース１側に固定し、前記左右のアンロック案内部１５の間には左右のアンロック案内部１５の内面に当接する操作部材１８を嵌合させたロール式トイレットペーパー収納装置。
【請求項３】
請求項１または請求項２において、前記ロック機構７の操作ノブ２１は、収納空間３より装着空間２５内に突出させ、かつ、使用中のロールペーパー２の奥側に位置させたロール式トイレットペーパー収納装置。
【発明の詳細な説明】
【０００１】
【産業上の利用分野】
本発明は、ロール式トイレットペーパー収納装置に係るものである。
【０００２】
【従来技術】
従来、公知公報の存在は不知であるが、左右に２個のロールペーパーが入る大きさのケースの左右何れか一方側に予備のロールペーパーを収納する収納空間を形成し、左右何れか他方側に使用するロールペーパーを装着する装着部とカッターを有する装着空間を形成し、前記収納空間には開閉自在の開閉蓋と該開閉蓋の開くのをロックするロック機構を設けた構成は公知である。
【０００３】
【発明が解決しようとする課題】
前記公知例は、ロック機構の構成が複雑であるという課題がある。
また、鍵によりロック・アンロックさせるものは、操作が面倒であるという課題がある。
また、収納空間のロールペーパーと装着空間のロールペーパーとが互いに接触するという課題がある。
また、コア付きロールペーパーの場合、使用済みのロールペーパーのコアが装着部に残り、このコアを取り除くのが面倒で、予備のロールペーパーの移動作業が面倒になるという課題がある。
【０００４】
【発明の目的】
構成の簡素化、左右のロールペーパーの接触の防止、コアの除去の容易化、操作性の向上。
【０００５】
【課題を解決するための手段】
本発明は、左右に２個のロールペーパー２が入る大きさのケース１の左右何れか一方側に予備のロールペーパー２を収納する収納空間３を形成し、左右何れか他方側に使用するロールペーパー２を装着する装着部２７とカッター３０を有する装着空間２５を形成し、前記収納空間３には開閉自在の開閉蓋５と該開閉蓋５の開くのをロックするロック機構７を設け、該ロック機構７は、前記収納空間３内の下部の載置板４の下方に一対の弾性ロックアーム１２を設け、前記開閉蓋５の下部に前記弾性ロックアーム１２に係合する係合部８を設けて構成したロール式トイレットペーパー収納装置としたものである。
本発明は、前記ロック機構７は、前記弾性ロックアーム１２を、自由端の先端から基部側に至るに従い幅狭くなるロック案内部１３に続いて基部側に至るに従い広くなる幅広部１４を形成し、ロック案内部１３と幅広部１４との間の幅の狭い部分をロック部１７に形成し、前記幅広部１４には基部側に至るに従い幅が狭くなるアンロック案内部１５を形成し、該アンロック案内部１５の基部側部分をケース１側に固定し、前記左右のアンロック案内部１５の間には左右のアンロック案内部１５の内面に当接する操作部材１８を嵌合させたロール式トイレットペーパー収納装置としたものである。
本発明は、前記ロック機構７の操作ノブ２１は、収納空間３より装着空間２５内に突出させ、かつ、使用中のロールペーパー２の奥側に位置させたロール式トイレットペーパー収納装置としたものである。
【０００６】
【実施例】
本発明の実施例を図面により説明すると、１はロール式トイレットペーパー収納装置のケースであり、左右に２個のロールペーパー２が入る大きさ（幅）に形成し、ケース１の右側には予備のロールペーパー２の収納空間３を形成する。収納空間３の下部にはロールペーパー２を載置する円弧状の載置板４を設け、収納空間３の開口部には開閉自在の開閉蓋５を設ける。
開閉蓋５はロールペーパー２の外面に合わせた円弧形状に形成し、その上部を取付軸６により回動自在に取付ける。開閉蓋５とケース１側との間には開閉蓋５の回動をロックするロック機構７を設ける。ロック機構７の構成は任意であり、開閉蓋５を閉じるとロックして開閉蓋５が開かないようにし、ロック機構７のロックを解除すると、開閉蓋５を上方回動するようにすれば良い。
【０００７】
一例を示すと、ロック機構７は、開閉蓋５の下部に係合部８を設け、該係合部８は先端側が細く基部側が幅広の先端傾斜面９を有する三角形状に形成し、先端傾斜面９の基部側に係合面１０を形成する。前記ケース１側となる載置板４には前記係合部８が進入する進入窓１１を設け、進入窓１１の内側の載置板４下方には左右一対の弾性ロックアーム１２の先端を臨ませる。
【０００８】
弾性ロックアーム１２は、先端から基部側に至るに従い幅狭くなるロック案内部１３に続いて基部側に至るに従い広くなる幅広部１４を形成し、幅広部１４には基部側に至るに従い幅が狭くなるアンロック案内部１５に形成し、アンロック案内部１５の基部側部分を互いに相対峙するようにケース１に設けたステー１６に固定し、左右の弾性ロックアーム１２の先端は弾力により回動する自由端に形成し、前記ロック案内部１３と前記幅広部１４との間の幅の狭い部分をロック部１７に形成する。
【０００９】
前記左右のアンロック案内部１５の間には左右のアンロック案内部１５の内面に当接する操作部材１８を嵌合させ、操作部材１８には一体または別体のロッド１９の先端を設け、ロッド１９の基部には操作アーム２０の一端を軸着し、操作アーム２０の中間部はケース１に回動自在に取付け、操作アーム２０の他端に操作ノブ２１を形成する。
【００１０】
ロック機構７は、開閉蓋５を締めると、係合部８の先端傾斜面９が弾性ロックアーム１２のロック案内部１３に当接し、このロック案内部１３の幅を広げながら進入し、係合部８が弾性ロックアーム１２のロック部１７を通過すると、弾性ロックアーム１２は弾性復帰してロック部１７により係合部８を左右側から挟持してロックする。また、操作ノブ２１を引くと、操作アーム２０が回動し、操作アーム２０はロッド１９を牽引するから、ロッド１９は操作部材１８を左右のアンロック案内部１５の内面に当接させて、左右の弾性ロックアーム１２を広げ、これにより係合部８はロック部１７より離脱して、開閉蓋５をオープンさせる。
【００１１】
しかして、前記ロック機構７は載置板４の下方に位置させ、ロック機構７の操作ノブ２１はケース１の左側に設けた使用するロールペーパー２を装着する装着空間２５内に突出させる。この場合、操作ノブ２１は奥側に位置させると、装着空間２５内のロールペーパー２によって操作が邪魔されて盗難防止となって、好適である。
【００１２】
前記装着空間２５を形成するケース１の左側板２６には右に向けて突き出す装着部２７を設ける。装着部２７はロールペーパー２の中心に設けた挿通孔２８を嵌める軸状のものであり、左側の基部を左側板２６に取付け、右側の収納空間３側は自由端に形成し、収納空間３内のロールペーパー２を移動させて装着部２７に装着する。装着部２７はその基部側に弾性変形部２９を設け、弾性変形部２９より先端が手前側に曲がるように構成し、使用済みロールペーパー２のコアを回収しうるようにする。また、弾性変形部２９はコアを回収した後に手を離すと、弾性復帰して所定位置に戻る。実施例では弾性変形部２９はコイルバネにより形成している。
【００１３】
また、装着部２７は収納空間３のロールペーパー２の挿通孔２８の上縁より少し低く形成し、収納空間３内のロールペーパー２を移動させたとき、ロールペーパー２の側面に装着部２７の先端が当接しないように配置している。
【００１４】
しかして、装着空間２５にはカッター３０を設ける。カッター３０はロールペーパー２の外面に合わせた円弧形状に形成し、その上部を取付軸取付軸６により回動自在に取付ける。カッター３０の収納空間３側には収納空間３内のロールペーパー２が装着空間２５に移動する方向に対して交差する方向に後側に突出るように、当接部３１を設ける。
図中、３２は開閉蓋５に設けた移動用開口部であり、この部分より指を挿入して収納空間３内のロールペーパー２を移動させる。
なお、実施例のケース１は左右に２個のロールペーパー２が入る大きさ（幅）に形成しているが、ケース１の収納空間３の上方に更に大きな空間を形成し、該空間より順次収納空間３に上方よりロールペーパー２を落下させて補給させる構成にしてもよい。
【００１５】
【作用】
次に作用を述べる。
カッター３０の下方の装着空間２５の奥側に、ロック機構７の操作ノブ２１があるので、操作ノブ２１を引くと、操作アーム２０が回動し、操作アーム２０はロッド１９を牽引するから、ロッド１９は操作部材１８を左右のアンロック案内部１５の内面に当接させて、左右の弾性ロックアーム１２を広げ、これにより係合部８はロック部１７より離脱して、開閉蓋５をオープン可能状態になる。
【００１６】
この状態で、開閉蓋５をオープンさせると、ケース１の収納空間３が開放される。
次ぎに、収納空間３の開口部からロールペーパー２を入れ、そのまま左側に移動させると、ロールペーパー２の挿通孔２８が装着部２７嵌合し、収納空間３は空になるので、予備のロールペーパー２を入れ、開閉蓋５を締める。
【００１７】
開閉蓋５を締めると、開閉蓋５はロック機構７によりロックされて、予備のロールペーパー２の盗難が防止される。
しかして、装着部２７に装着されたロールペーパー２が消費されて無くなると、カッター３０を上方回動させて、次ぎに、収納空間３のロールペーパー２を移動用開口部３２より挿入した指により押して横移動させて装着部２７に嵌める。
【００１８】
この場合、ロールペーパー２がコアを有するタイプのとき、装着部２７は基部に弾性変形部２９を設けているから、基部の弾性変形部２９を中心に先端を手前側に曲げることができ、このコアを回収してから、収納空間３内にある予備のロールペーパー２を装着部２７に装着する。
したがって、ロールペーパー２の種類を問わずに使用でき、コア付きのロールペーパー２の場合は引き出しが容易であり、コア無のロールペーパー２の場合は消費時間を長くでき、補充作業を軽減する。
【００１９】
この場合、弾性変形部２９は金属製のコイルバネにより形成しているから、耐久性、弾性復帰力共に充分であり、また、コイルバネと装着部２７の先端部および基部との接合も容易であり、コストを低くする。
しかして、装着部２７の上縁は収納空間３のロールペーパー２の挿通孔２８の上縁より少し低くなるように、載置板４と相対的に配置構成しているから、収納空間３内のロールペーパー２を移動させたとき、ロールペーパー２の側面に装着部２７の先端が当接せず、装着部２７への装着を容易にしている。
【００２０】
しかして、装着空間２５に設けたカッター３０はロールペーパー２の外面に合わせた円弧形状に形成し、カッター３０の収納空間３側には後側に突き出る平板状の当接部３１を設けているから、装着空間２５に使用中のロールペーパー２があるときは、収納空間３のロールペーパー２が装着空間２５に移動するのを停止させる。
【００２１】
したがって、使用中のロールペーパー２は予備のロールペーパー２と接触しないから、容易に回転し、引き出すのが簡単になって、操作性を向上させる。また、収納空間３のロールペーパー２が回転するのを防止して、使用前の側面の損傷を防止する。
【００２２】
しかして、ロック機構７の操作ノブ２１は装着空間２５の奥側に突出させているから、使用中のロールペーパー２があるときには目に触れにくく、また、指も入れにくいので盗難防止となって、好適である。
【００２３】
【効果】
本発明は、左右に２個のロールペーパー２が入る大きさのケース１の左右何れか一方側に予備のロールペーパー２を収納する収納空間３を形成し、左右何れか他方側に使用するロールペーパー２を装着する装着部２７とカッター３０を有する装着空間２５を形成し、前記収納空間３には開閉自在の開閉蓋５と該開閉蓋５の開くのをロックするロック機構７を設け、該ロック機構７は、前記収納空間３内の下部の載置板４の下方に一対の弾性ロックアーム１２を設け、前記開閉蓋５の下部に前記弾性ロックアーム１２に係合する係合部８を設けて構成したロール式トイレットペーパー収納装置としたものであるから、簡単な構成で、スペースを有効利用して全体を小型にする。
本発明は、前記ロック機構７は、前記弾性ロックアーム１２を、自由端の先端から基部側に至るに従い幅狭くなるロック案内部１３に続いて基部側に至るに従い広くなる幅広部１４を形成し、ロック案内部１３と幅広部１４との間の幅の狭い部分をロック部１７に形成し、前記幅広部１４には基部側に至るに従い幅が狭くなるアンロック案内部１５を形成し、該アンロック案内部１５の基部側部分をケース１側に固定し、前記左右のアンロック案内部１５の間には左右のアンロック案内部１５の内面に当接する操作部材１８を嵌合させたロール式トイレットペーパー収納装置としたものであるから、操作が簡単であり、また、簡単な構成で、コストを低くする。
本発明は、前記ロック機構７の操作ノブ２１は、収納空間３より装着空間２５内に突出させ、かつ、使用中のロールペーパー２の奥側に位置させたロール式トイレットペーパー収納装置としたものであるから、盗難を防止（減少）する。
【図面の簡単な説明】
【図１】    正面図。
【図２】    側面図。
【図３】    ロック機構の分解斜視図。
【図４】    同作用状態平面図。
【図５】    側面図。
【図６】    一部縦断側面図。
【図７】    一部縦断側面図。
【図８】    概略斜視図。
【符号の説明】
１…ケース、２…ロールペーパー、３…収納空間、４…載置板、５…開閉蓋、６…取付軸、７…ロック機構、８…係合部、９…先端傾斜面、１１…進入窓、１２…弾性ロックアーム、１３…ロック案内部、１４…幅広部、１７…ロック部、１５…アンロック案内部、１６…ステー、１８…操作部材、１９…ロッド、２０…操作アーム、２１…操作ノブ、２５…装着空間、２６…左側板、２７…装着部、２８…挿通孔、２９…弾性変形部、３０…カッター、３１…当接部。
【図１】
0004625560.tif 000002
【図２】
0004625560.tif 000003
【図３】
0004625560.tif 000004
【図４】
0004625560.tif 000005
【図５】
0004625560.tif 000006
【図６】
0004625560.tif 000007
【図７】
0004625560.tif 000008
【図８】
0004625560.tif 000009